(57)【要約】【課題】  高精細な画像の処理が可能な電子機器において、回路規模の削減およびリソースの効率的な使用を可能にする。【解決手段】  電子機器（１０）は、入力画像を複数に分割する第１の分割手段と、分割された各々の画像を現像する現像手段と、各々現像された画像を画像処理する画像処理手段と、画像処理された画像をさらに複数に分割する第２の分割手段と、第１の出力モードのときは第１の分割エリアで分割し、第２の出力モードのときは第２の分割エリアで分割するよう第１の分割手段を制御し、第１の出力モードのときは第３の分割エリアで分割し、第２の出力モードのときは第４の分割エリアで分割するように第２の分割手段を制御する制御手段とを有する。【選択図】  図１
2018201103.tif 000002
【特許請求の範囲】
【請求項１】
入力画像を複数に分割する第１の分割手段と、
前記分割された各々の画像を現像する現像手段と、
前記各々現像された画像を画像処理する画像処理手段と、
前記画像処理された画像をさらに複数に分割する第２の分割手段と、
第１の出力モードのときは第１の分割エリアで分割し、第２の出力モードのときは第２の分割エリアで分割するよう前記第１の分割手段を制御し、前記第１の出力モードのときは第３の分割エリアで分割し、前記第２の出力モードのときは第４の分割エリアで分割するように前記第２の分割手段を制御する制御手段と
を有することを特徴とする電子機器。
【請求項２】
前記制御手段は、前記第１の分割手段での分割処理が行われた後に前記現像手段での現像処理が行われ、その後に前記画像処理手段での画像処理が行われ、その後に前記第２の分割手段での分割処理が行われるように、前記第１の分割手段、前記現像手段、前記画像処理手段および前記第２の分割手段を制御する特徴とする請求項１に記載の電子機器。
【請求項３】
前記第１の出力モードはＳｕｑｕａｒｅ  Ｄｉｖｉｓｉｏｎで出力するモードであり、第２の出力モードは２  Ｓａｍｐｌｅ  Ｉｎｔｅｒｌｅａｖｅ  Ｄｉｖｉｓｉｏｎで出力するモードであることを特徴とする請求項１または２に記載の電子機器。
【請求項４】
前記第１の分割手段は、第１の出力モードのときは画像を垂直に４分割し、第２の出力モードのときは水平に４分割することを特徴とする請求項１または２に記載の電子機器。
【請求項５】
前記第２の分割手段は、第１の出力モードのときは各々の画像をさらに水平に４分割し１６分割とし、第２の出力モードのときは画像を２サンプル、２ラインごとに間引いて１６分割することを特徴とする請求項１または２に記載の電子機器。
【請求項６】
前記画像処理手段は、色域変換処理、色空間変換処理またはピーキング処理を行うことを特徴とする請求項１または２に記載の電子機器。
【請求項７】
前記第２の分割手段での分割処理の後にＯＳＤ重畳処理を行うＯＳＤ重畳手段をさらに有することを特徴とする請求項１または２に記載の電子機器。
【請求項８】
入力画像を複数に分割する第１の分割手段と、
前記分割された各々の画像を現像する現像手段と、
前記現像された画像をさらに複数に分割する第２の分割手段と、
前記分割された画像を画像処理する画像処理手段と、
前記画像処理された画像を違う領域で複数に分割する第３の分割手段と、
第１の出力モードのときは第１の分割エリアで分割し、第２の出力モードのときは第２の分割エリアで分割するよう前記第１の分割手段を制御し、前記第１の出力モードのときは第３の分割エリアで分割し、前記第２の出力モードのときは第４の分割エリアで分割するように前記第２の分割手段を制御し、前記第１の出力モードのときはそのまま出力し、前記第２の出力モードのときは第５の分割エリアで分割するように前記第３の分割手段を制御する制御手段と
を有することを特徴とする電子機器。
【請求項９】
前記制御手段は、前記第１の分割手段での分割処理が行われた後に前記現像手段での現像処理が行われ、その後に前記第２の分割手段での分割処理が行われ、その後に前記画像処理手段での画像処理が行われ、その後に前記第３の分割手段での分割処理が行われるように、前記第１の分割手段、前記現像手段、前記第２の分割手段、前記画像処理手段および前記第３の分割手段を制御することを特徴とする請求項８に記載の電子機器。
【請求項１０】
前記第１の出力モードはＳｕｑｕａｒｅ  Ｄｉｖｉｓｉｏｎで出力するモードであり、第２の出力モードは２  Ｓａｍｐｌｅ  Ｉｎｔｅｒｌｅａｖｅ  Ｄｉｖｉｓｉｏｎで出力するモードであることを特徴とする請求項８または９に記載の電子機器。
【請求項１１】
前記第１の分割手段は、第１の出力モードのときは画像を垂直に４分割し、第２の出力モードのときは水平に４分割することを特徴とする請求項８または９に記載の電子機器。
【請求項１２】
前記第２の分割手段は、第１の出力モードのときは各々の画像をさらに水平に４分割し１６分割とし、第２の出力モードのときは水平に１６分割することを特徴とする請求項８または９に記載の電子機器。
【請求項１３】
前記第３の分割手段は、第２の出力モードのとき、画像を２サンプル、２ラインごとに間引いて１６分割することを特徴とする請求項８または９に記載の電子機器。
【請求項１４】
前記画像処理手段は、色域変換処理、色空間変換処理またはピーキング処理を行うことを特徴とする請求項８または９に記載の電子機器。
【請求項１５】
前記第３の分割手段での分割処理の後にＯＳＤ重畳処理を行うＯＳＤ重畳手段をさらに有することを特徴とする請求項８または９に記載の電子機器。
【発明の詳細な説明】
【技術分野】
【０００１】
本発明は、高精細な画像の処理が可能な電子機器に関するものである。
【背景技術】
【０００２】
近年、ビデオカメラにより処理される画像の高精細化が進んでいる。高精細な画像としては、１９２０×１０８０個の画素で構成されるＦＨＤ（Ｆｕｌｌ  Ｈｉｇｈ  Ｄｅｆｉｎｉｔｉｏｎ）画像、２０４８×１０８０個の画素で構成される２Ｋ画像がある。特にＦＨＤ画像は、テレビ放送に採用され一般的に知られている。最近では、ＦＨＤ画像の４倍の３８４０×２１６０個の画素で構成されるＱＦＨＤ（Ｑｕａｄ  Ｆｕｌｌ  Ｈｉｇｈ  Ｄｅｆｉｎｉｔｉｏｎ）画像、４０９６×２１６０個の画素で構成される４Ｋ画像も知られている。
【０００３】
そして、さらに高精細な画像として、ＦＨＤ画像の１６倍の７６８０×４３２０個の画素で構成されるＵＨＤ（Ｕｌｔｒａ  Ｈｉｇｈ  Ｄｅｆｉｎｉｔｉｏｎ）画像、８１９２×４３２０個の画素で構成される８Ｋ画像が知られるようになってきている。
【０００４】
現在、ＵＨＤ画像または８Ｋ画像を撮像するためのビデオカメラは、撮像センサで撮像されたベイヤー配列の画像データ（以下、ＲＡＷ画像と呼ぶ）に現像処理および画像処理を行い、秒間６０枚のフレームレートで出力するシステムが主流となっている。しかしながら、取り扱うデータ量が増大しているため、ビデオカメラですべての処理を行うシステムでは、ビデオカメラの小型化が難しく、機動性や取り回し易さが失われてしまうということがある。そこで、ビデオカメラでは、現像処理および画像処理を行わずにＲＡＷ画像を出力し、ビデオカメラとは別の装置で現像処理および画像処理を行うことで、ビデオカメラの機動性を向上させたシステムが想定される。
【０００５】
このように、高精細な画像の処理が可能なシステムでは、画像処理回路の回路規模が増大しやすく、それに伴って消費電力が増大し、筐体内温度が上昇し、小型化が困難になるなどの問題が生じてしまう。このような問題を解決するために、画像処理回路の規模を小さくする方法が知られている（特許文献１および特許文献２）。
【先行技術文献】
【特許文献】
【０００６】
【特許文献１】特開２０１５−１２６３９９号公報
【特許文献２】特開２０１６−０６３４８８号公報
【発明の概要】
【発明が解決しようとする課題】
【０００７】
ＵＨＤ画像または８Ｋ画像の伝送は、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）で規定されているＳＤＩ（Ｓｅｒｉａｌ  Ｄｉｇｉｔａｌ  Ｉｎｔｅｒｆａｃｅ）を用いて行われることが想定されている。ＵＨＤ画像のＳＤＩへのマッピングは、ＳＭＰＴＥ  ＳＴ  ２０８２−１１で規定されている。
【０００８】
しかしながら、ＵＨＤ画像または８Ｋ画像の伝送は、ＳＭＰＴＥ  ＳＴ  ２０８２−１０で規定されている１２Ｇ−ＳＤＩを４本用いて行われることも想定されている。さらに、ＵＨＤ画像または８Ｋ画像の伝送は、ＵＨＤ画像または８Ｋ画像を縦および横に４分割することにより、ＳＭＰＴＥ  ＳＴ  ４２５−１で規定されている３Ｇ−ＳＤＩを１６本用いて行われることも想定される。そのため、ＵＨＤ画像または８Ｋ画像を処理するシステムにおいては、ＳＭＰＴＥ  ＳＴ  ２０８２−１１、ＳＭＰＴＥ  ＳＴ  ２０８２−１０およびＳＭＰＴＥ  ＳＴ  ４２５−１に準拠することが求められる。その結果、回路規模が増大し、筐体内温度が上昇し、小型化が困難になるなどの問題が生じてしまう。
【０００９】
そこで、本発明は、高精細な画像の処理が可能な電子機器において、回路規模の削減およびリソースの効率的な使用を可能にすることを目的とする。
【課題を解決するための手段】
【００１０】
本発明に係る電子機器の一つは、入力画像を複数に分割する第１の分割手段と、前記分割された各々の画像を現像する現像手段と、前記各々現像された画像を画像処理する画像処理手段と、前記画像処理された画像をさらに複数に分割する第２の分割手段と、第１の出力モードのときは第１の分割エリアで分割し、第２の出力モードのときは第２の分割エリアで分割するよう前記第１の分割手段を制御し、前記第１の出力モードのときは第３の分割エリアで分割し、前記第２の出力モードのときは第４の分割エリアで分割するように前記第２の分割手段を制御する制御手段とを有する。
【００１１】
本発明に係る電子機器の一つは、入力画像を複数に分割する第１の分割手段と、前記分割された各々の画像を現像する現像手段と、前記現像された画像をさらに複数に分割する第２の分割手段と、前記分割された画像を画像処理する画像処理手段と、前記画像処理された画像を違う領域で複数に分割する第３の分割手段と、第１の出力モードのときは第１の分割エリアで分割し、第２の出力モードのときは第２の分割エリアで分割するよう前記第１の分割手段を制御し、前記第１の出力モードのときは第３の分割エリアで分割し、前記第２の出力モードのときは第４の分割エリアで分割するように前記第２の分割手段を制御し、前記第１の出力モードのときはそのまま出力し、前記第２の出力モードのときは第５の分割エリアで分割するように前記第３の分割手段を制御する制御手段とを有する。
【発明の効果】
【００１２】
本発明によれば、第１画像分割処理をした後に現像処理を行い、その後に第２画像分割処理をすることで現像回路の削減を行うことができる。さらに、出力モードに応じて画像分割処理を変更することで共通の回路を使用でき回路の削減を行うことができる。さらに、フレームメモリに読み書きする画像をＲＡＷ画像とすることでメモリ帯域の効率化を図ることができる。
【図面の簡単な説明】
【００１３】
【図１】実施形態１における電子機器１０の構成要素を説明するためのブロック図である。
【図２】ＵＨＤ画像または８Ｋ画像を１６分割（縦および横に４分割）する方法を模式的に示す図である。
【図３】ＵＨＤ画像または８Ｋ画像をＳＭＰＴＥ  ＳＴ  ２０８２−１１で伝送する方法を模式的に示す図である。
【図４】ＵＨＤ画像または８Ｋ画像を垂直に４分割する方法を模式的に示す図である。
【図５】ＵＨＤ画像または８Ｋ画像を水平に４分割する方法を模式的に示す図である。
【図６】制御部１００の制御例を説明するためのフローチャートである。
【図７】実施形態２における電子機器７０の構成要素を説明するためのブロック図である。
【図８】ＵＨＤ画像または８Ｋ画像を水平に１６分割する方法を模式的に示す図である。
【図９】制御部７００の制御例を説明するためのフローチャートである。
【発明を実施するための形態】
【００１４】
以下、図面を参照して本発明の実施形態を説明する。ただし、本発明は以下の実施形態に限定されるものではない。
【００１５】
［実施形態１］
まず、図１を参照して、実施形態１における電子機器１０の構成要素を説明する。なお、実施形態１における電子機器１０は、撮像装置、中継装置、データ変換装置、携帯電話、スマートフォン、タブレット型情報端末、ノート型情報端末またはコンピュータとして動作可能である。
【００１６】
図１において、制御部１００は電子機器１０の各構成要素を制御するためのプロセッサを有する。制御部１００のプロセッサは、ＲＯＭ１７３に記憶されたプログラムを実行することにより、電子機器１０の各構成要素を制御する。制御部１００のプロセッサはさらに、メモリ１７４に記憶された情報、操作部１７５からの情報などに従って、電子機器１０の各構成要素を制御する。制御部１００のプロセッサは、例えばハードウェアプロセッサである。ＲＯＭ１７３は、制御部１００のプログラムや固定値などの不揮発の情報を記憶する。
【００１７】
メモリ１７４はＤＲＡＭ等の揮発性メモリから構成され、出力されるまでの中間動画データや管理情報、或いは、制御部１００の制御のために必用な各種の情報を記憶する。操作部１７３は例えば、メニュー表示ボタン、モード切り替えスイッチ、決定ボタン等の各種操作を入力するスイッチ類を有する。操作部１７３は、ユーザによりこれらのキーやボタンが操作されると制御部１００に操作信号を送信する。また、カーソルキー、ポインティングデバイス、タッチパネル、ダイヤル等のどのようなタイプの操作子であってもよい。
【００１８】
バス１０１は、電子機器１０の各構成要素の間でデータやコマンドを転送するためのバスである。データ受信部１０２は画像データを受信するための受信部である。データ受信部に入力される画像データはセンサからのＲＡＷ画像であってもよいし、ＳＤＩなどの外部から伝送されるＲＡＷ画像であってもよい。例えば、８Ｋセンサである場合はＬＶＤＳ（Ｌｏｗ  Ｖｏｌｔａｇｅ  Ｄｉｆｆｅｒｅｎｔｉａｌ  Ｓｉｇｎａｌｉｎｇ）の複数レーンでデータを受信する。
【００１９】
また、８ＫＲＡＷ画像の外部機器からのＳＤＩ入力であれば６Ｇ−ＳＤＩを４本あるいは１２Ｇ−ＳＤＩを２本で受信する。第１画像分割部１０３は設定されている出力モードに応じてデータ受信部１０２で受信したＲＡＷ画像を４分割するための画像分割部である。第１〜第４現像部１０４〜１０７は各々のＲＡＷ画像を現像するブロックであり、ベイヤー配列をしたＲＡＷ画像から各画素のＲＧＢデータを生成する。第１〜第４色域変換部１０８〜１１１は各々の現像された画像の色域を変換する。色域は例えば、Ｒｅｃ．７０９やＲｅｃ．２０２０である。
【００２０】
ここでの変換回路は１クロックで４画素を並列処理する回路である。第１〜第４ガンマ変換部１１２〜１１５は各々の色域変換された画像のガンマを変換する。ガンマは例えばＢＴ．７０９やＰＱ（Ｐｅｒｃｅｐｕｔｕａｌ  Ｑｕａｎｔｉｚｅｒ）やＨＬＧ（Ｈｙｂｉｒｄ  Ｌｏｇ  Ｇａｍｍａ）である。
【００２１】
ここでの変換回路は１クロックで４画素を並列処理する回路である。第１〜第４色空間変換部１１６〜１１９は各々ガンマ変換された画像の色空間をＲＧＢ４：４：４からＹＣＣ４：２：２へ変換する。ここでの変換回路は１クロックで４画素を並列処理する回路である。第１〜第４ピーキング重畳部１２０〜１２３は各々色空間変換された画像からエッジ情報を抽出し、抽出したエッジ情報に基づきピーキングを重畳する。ピーキングは設定により重畳をせずに出力することも可能である。
【００２２】
ここでの重畳回路は１クロックで４画素を並列処理する回路である。第２画像分割部１２４は出力モードに応じて第１〜第４ピーキング重畳部１２０〜１２３から出力された画像を１６分割するための画像分割部である。第１〜第１６ＯＳＤ重畳部１２５〜１４０は第２画像分割部で分割された各々の画像にＯＳＤを重畳する。第１〜第１６データマッピング部１４１〜１５６はＯＳＤが重畳された画像をＳＭＰＴＥで規定されているフォーマットにマッピングする。
【００２３】
第１データマッピング部１４１、第５データマッピング部１４５、第９データマッピング部１４９、第１３データマッピング部１５３はＳＭＰＴＥ  ＳＴ  ２０８２−１０で規定されている１２Ｇ−ＳＤＩへのマッピングとＳＭＰＴＥ  ＳＴ  ４２５−１で規定されている３Ｇ−ＳＤＩへのマッピングを設定により切り替えてマッピングする。それ以外のマッピング部はＳＭＰＴＥ  ＳＴ  ４２５−１で規定されている３Ｇ−ＳＤＩへマッピングする。第１〜第１６データ送信部１５７〜１７２は各々の画像データをシリアルに変換して送信する。
【００２４】
次に、図２および図３（ａ）〜図３（ｅ）を参照して、２つの出力モードについて説明をする。
【００２５】
第１の出力モード（以下、Ｓｑｕａｒｅ  Ｄｉｖｉｓｉｏｎ出力と呼ぶ）は、８１９２（７６８０）×４３２０個の画素を図２に示すように縦および横に４分割して２０４８（１９２０）×１０８０個の画素の１６分割する。そして２０４８×１０８０個の画素をＳＭＰＴＥ  ＳＴ  ４２５−１で規定されている３Ｇ−ＳＤＩの規格で出力する。第２の出力モード（以下、２  Ｓａｍｐｌｅ  Ｉｎｔｅｒｌｅａｖｅ  Ｄｉｖｉｓｉｏｎ出力と呼ぶ）は、ＳＭＰＴＥ  ＳＴ  ２０８２−１１で規定されているＱｕａｄ  １２Ｇ−ＳＤＩ出力である。
【００２６】
ここで画像のサンプル番号およびライン番号は０からスタートするものとする。第０ライン、第２ライン、第４ライン、・・・を偶数ラインとし、第１ライン、第３ライン、第５ライン、・・・を奇数ラインとする。図３（ａ）に示すように、４ラインおきに各ラインの隣り合う２画素のペアを４つおきに間引いて２０４８（１９２０）×１０８０個の画素の１６分割にする。
【００２７】
次に、図３の（ｂ）に示すように、偶数ラインの４ｉサンプルと４ｉ＋１サンプルを元の順序のまま並べた画像を１つの４０９６（３８４０）×２１６０個の画素にマッピングする。次に、図３（ｃ）に示すように、偶数ラインの４ｉ＋２サンプルと４ｉ＋３サンプルを元の順序のまま並べた画像を１つの４０９６（３８４０）×２１６０個の画素にマッピングする。
【００２８】
次に、図３（ｄ）に示すように、奇数ラインの４ｉサンプルと４ｉ＋１サンプルを元の順序のまま並べた画像を１つの４０９６（３８４０）×２１６０個の画素にマッピングする。次に、図３（ｅ）に示すように、奇数ラインの４ｉ＋２サンプルと４ｉ＋３サンプルを元の順序のまま並べた画像を１つの４０９６（３８４０）×２１６０個の画素にマッピングする。そして、各々を１２Ｇ−ＳＤＩ出力で出力する。
【００２９】
次に、図４および図５を参照して、第１画像分割部１０３の分割方法を説明する。Ｓｑｕａｒｅ  Ｄｉｖｉｓｉｏｎ出力のときは図４に示すように８１９２（７６８０）×４３２０個の画素を垂直に４分割して８１９２（７６８０）×１０８０個の画素エリアに分割する。垂直に分割するためにはＲＡＷ画像をメモリ１７４に１フレーム分記憶し、各画像エリアの開始画素から同時に読み出すことで分割することができる。２  Ｓａｍｐｌｅ  Ｉｎｔｅｒｌｅａｖｅ  Ｄｉｖｉｓｉｏｎ出力のときは図５に示すように８１９２（７６８０）×４３２０個の画素を水平に４分割して２０４８（１９２０）×４３２０個の画素エリアに分割する。水平に分割するためにはメモリ１７４に１ライン分記憶し、各画素エリアの開始画素から同時に読み出すことで分割することができる。ここでは、１ライン分を記憶することで説明したがＳｑｕａｒｅ  Ｄｉｖｉｓｉｏｎ出力と同様に１フレーム分を記憶してもよい。
【００３０】
次に、図２〜図５を参照して、第２画像分割部１２４の分割方法を説明する。Ｓｑｕａｒｅ  Ｄｉｖｉｓｉｏｎ出力のときは図４に示すように垂直に４分割された画像が入力される。これを各々水平に４分割することで図２に示すように２０４８（１９２０）×１０８０個の画素エリアに１６分割する。水平に４分割するためには一旦メモリ１７４に１ライン分記憶し、各画素エリアの開始画素から同時に読み出すことで分割することができる。
【００３１】
２  Ｓａｍｐｌｅ  Ｉｎｔｅｒｌｅａｖｅ  Ｄｉｖｉｓｉｏｎ出力のときは図５に示すように水平に４分割された画像が入力される。これらの画像を一旦メモリ１７４に４ライン分記憶し、図３（ａ）に示すように４ラインおきに各ラインの隣り合う２画素のペアを４つおきに間引いて２０４８（１９２０）×１０８０個の画素エリアに１６分割する。そして１の画素群は第１ＯＳＤ重畳部１２５へ送られ以下同様に２〜１６の画素群はそれぞれ第２〜第１６ＯＳＤ重畳部１２６〜１４０に送られる。
【００３２】
次に、図３（ｂ）〜図３（ｅ）を参照して、第１データマッピング部１４１、第５データマッピング部１４５、第９データマッピング部１４９、第１３データマッピング部１５３の１２Ｇ−ＳＤＩへのマッピング方法を説明する。
【００３３】
第１データマッピング部は第１〜第４ＯＳＤ重畳部１２５〜１２６から入力された画像を図３（ｂ）に示すようにマッピングする。ここで画素番号１は第１ＯＳＤ重畳部１２５から入力された画像であり、以下同様に画素番号２〜４は第２〜第４ＯＳＤ重畳部１２６〜１２８から入力された画像である。同じように第５データマッピングは図３（ｃ）に示すように、第９データマッピング部は図３（ｄ）に示すように、第１３データマッピング部は図３（ｅ）に示すようにマッピングする。
【００３４】
次に、図６のフローチャートを参照して、制御部１００の制御例を説明する。ステップＳ６００では、操作部１７５の操作により出力モードが変更されたかどうかを判定する。出力モードが変更された場合はステップＳ６０１に進み、そうでない場合は変更待ち状態となる。ステップＳ６０１では、出力モードがＳｑｕａｒｅ  Ｄｉｖｉｓｉｏｎ出力かどうかを判定する。Ｓｑｕａｒｅ  Ｄｉｖｉｓｉｏｎ出力の場合はステップＳ６０２に進む。ステップＳ６０２では、第１画像分割部１０３の分割処理を垂直に４分割する処理に設定する。
【００３５】
ステップＳ６０３では、第２画像分割部１２４の分割処理を各エリアを水平に４分割して１６分割する処理に設定する。ステップＳ６０４では、第１データマッピング部１４１、第５データマッピング部１４５、第９データマッピング部１４９、第１３データマッピング部１５３の処理を３Ｇ−ＳＤＩでマッピングする処理に設定する。ステップＳ６０５では、第１データ送信部１５７、第５データ送信部１６１、第９データ送信部１６５、第１３データ送信部１６９を３Ｇのデータレートに設定する。
【００３６】
一方、ステップＳ６０１において２  Ｓａｍｐｌｅ  Ｉｎｔｅｒｌｅａｖｅ出力の場合はステップＳ６０６に進む。ステップＳ６０６では、第１画像分割部１０３の分割処理を水平に４分割する処理に設定する。ステップＳ６０７では、第２画像分割部１２４の分割処理を１ラインごとに２画素ずつ間引いて１６分割する処理に設定する。ステップＳ６０８では、第１データマッピング部１４１、第５データマッピング部１４５、第９データマッピング部１４９、第１３データマッピング部１５３の処理を１２Ｇ−ＳＤＩでマッピングする処理に設定する。ステップＳ６０９では、第１データ送信部１５７、第５データ送信部１６１、第９データ送信部１６５、第１３データ送信部１６９を１２Ｇのデータレートに設定する。
【００３７】
以上説明したように、実施形態１によれば、Ｓｑｕａｒｅ  Ｄｉｖｉｓｉｏｎ出力と２  Ｓａｍｐｌｅ  Ｉｎｔｅｒｌｅａｖｅ出力のいずれにおいても第１画像分割部１０３の後に現像処理を行うことで現像回路の数を削減することができる。また、第１画像分割部１０３の読み出し方法を出力モードごとに変更することでいずれの出力モードのおいても共通の画像処理回路を使用することができる。さらに、メモリに書きこむ画像はＲＡＷ画像のみとすることで書き込むデータ量を最小にすることができメモリを効率よく使用することができる。
【００３８】
［実施形態２］
まず、図７を参照して、実施形態２における電子機器７０の構成要素を説明する。なお、実施形態２における電子機器７０は、撮像装置、中継装置、データ変換装置、携帯電話、スマートフォン、タブレット型情報端末、ノート型情報端末またはコンピュータとして動作可能である。
【００３９】
図７において、制御部７００は電子機器７０の各構成要素を制御するためのプロセッサを有する。制御部７００のプロセッサは、ＲＯＭ８２２に記憶されたプログラムを実行することにより、電子機器７０の各構成要素を制御する。制御部７００のプロセッサはさらに、メモリ８２３に記憶された情報、操作部８２４からの情報などに従って、電子機器７０の各構成要素を制御する。制御部１００のプロセッサは、例えばハードウェアプロセッサである。ＲＯＭ８２２は、制御部７００のプログラムや固定値などの不揮発の情報を記憶する。
【００４０】
メモリ８２３はＤＲＡＭ等の揮発性メモリから構成され、出力されるまでの中間動画データやデータ管理情報、或いは、制御部７００の制御のために必用な各種の情報を記憶する。操作部８２４は例えば、メニュー表示ボタン、モード切り替えスイッチ、決定ボタン等の各種操作を入力するスイッチ類を有する。操作部８２４は、ユーザによりこれらのキーやボタンが操作されると制御部７００に操作信号を送信する。また、カーソルキー、ポインティングデバイス、タッチパネル、ダイヤル等のどのようなタイプの操作子であってもよい。
【００４１】
バス７０１は、電子機器７０の各構成要素の間でデータやコマンドを転送するためのバスである。データ受信部７０２は画像データを受信するための受信部である。データ受信部に入力される画像データはセンサからのＲＡＷ画像であってもよいし、ＳＤＩなどの外部から伝送されるＲＡＷ画像であってもよい。例えば、８Ｋセンサである場合はＬＶＤＳ（Ｌｏｗ  Ｖｏｌｔａｇｅ  Ｄｉｆｆｅｒｅｎｔｉａｌ  Ｓｉｇｎａｌｉｎｇ）の複数レーンでデータを受信する。
【００４２】
また、８ＫＲＡＷ画像の外部機器からのＳＤＩ入力であれば６Ｇ−ＳＤＩを４本あるいは１２Ｇ−ＳＤＩを２本で受信する。第１画像分割部７０３は設定されている出力モードに応じてデータ受信部７０２で受信したＲＡＷ画像を４分割するための画像分割部である。第１画像分割部７０３の処理は実施形態１の第１画像分割部１０３と同様なので詳細な説明は省略する。第１〜第４現像部７０４〜７０７は各々のＲＡＷ画像を現像するブロックであり、ベイヤー配列をしたＲＡＷ画像から各画素のＲＧＢデータを生成する。
【００４３】
第２画像分割部７０８は第１〜第４現像部７０４〜７０７で現像した画像を設定されている出力モードに応じて１６分割にするための画像分割部である。第１〜第１６色域変換部７０９〜７２４は各々の現像された画像の色域を変換する。色域は例えば、Ｒｅｃ．７０９やＲｅｃ．２０２０である。ここでの変換回路は１クロックで１画素を処理する回路である。第１〜第１６ガンマ変換部７２５〜７４０は各々の色域変換された画像のガンマを変換する。ガンマは例えばＢＴ．７０９やＰＱ（Ｐｅｒｃｅｐｕｔｕａｌ  Ｑｕａｎｔｉｚｅｒ）やＨＬＧ（Ｈｙｂｉｒｄ  Ｌｏｇ  Ｇａｍｍａ）である。
【００４４】
ここでの変換回路は１クロックで１画素を処理する回路である。第１〜第１６色空間変換部７４１〜７５６は各々ガンマ変換された画像の色空間をＲＧＢ４：４：４からＹＣＣ４：２：２へ変換する。ここでの変換回路は１クロックで１画素を処理する回路である。第１〜第１６ピーキング重畳部７５７〜７７２は各々色空間変換された画像からエッジ情報を抽出し、抽出したエッジ情報に基づきピーキングを重畳する。ピーキングは設定により重畳をせずに出力することも可能である。ここでの重畳回路は１クロックで１画素を処理する回路である。
【００４５】
第３画像分割部７７３は出力モードに応じて第１〜第１６ピーキング重畳部７５７〜７７２から出力された画像を１６分割するための画像分割部である。Ｓｑｕａｒｅ  Ｄｉｖｉｓｉｏｎ出力の場合は入力された画像を分割せずにそのまま出力する。２  Ｓａｍｐｌｅ  Ｉｎｔｅｒｌｅａｖ  Ｄｉｖｉｓｉｏｎの場合は入力された画像を第２画像分割部とは違うフォーマットで１６分割して出力する。第１〜第１６ＯＳＤ重畳部７７４〜７８９は第３画像分割部で分割された各々の画像にＯＳＤを重畳する。
【００４６】
第１〜第１６データマッピング部７９０〜８０５はＯＳＤが重畳された画像をＳＭＰＴＥで規定されているフォーマットにマッピングする。第１データマッピング部７９０、第５データマッピング部７９４、第９データマッピング部７９８、第１３データマッピング部８０２はＳＭＰＴＥ  ＳＴ  ２０８２−１０で規定されている１２Ｇ−ＳＤＩへのマッピングとＳＭＰＴＥ  ＳＴ  ４２５−１で規定されている３Ｇ−ＳＤＩへのマッピングを設定により切り替えてマッピングする。詳細は実施形態１の第１データマッピング部１５７と第５データマッピング部１４５と第９データマッピング部１４９と第１３データマッピング部１５３と同様のため省略する。それ以外のマッピング部はＳＭＰＴＥ  ＳＴ  ４２５−１で規定されている３Ｇ−ＳＤＩへマッピングする。第１〜第１６データ送信部８０６〜８２１は各々の画像データをシリアルに変換して送信する。
【００４７】
次に、図２、図４、図５および図８を参照して、第２画像分割部７０８の分割方法を説明する。
【００４８】
Ｓｑｕａｒｅ  Ｄｉｖｉｓｉｏｎ出力のときは図４に示すように垂直に４分割された画像が入力される。これを各々水平に４分割することで図２に示すように２０４８（１９２０）×１０８０個の画素エリアに１６分割する。水平に４分割するためには一旦メモリ１７４に１ライン分記憶し、各画素エリアの開始画素から同時に読み出すことで分割することができる。２  Ｓａｍｐｌｅ  Ｉｎｔｅｒｌｅａｖｅ  Ｄｉｖｉｓｉｏｎ出力のときは図５に示すように水平に４分割された画像が入力される。これらの画像を一旦メモリ１７４に１ライン分記憶し、図８に示すように水平にさらに４分割して５１２（４８０）×４３２０個の画素エリアに１６分割する。
【００４９】
次に、図８および図３（ａ）を参照して、第３画像分割部７７３の分割方法を説明する。
【００５０】
Ｓｑｕａｒｅ  Ｄｉｖｉｓｉｏｎ出力のときは、このブロックでは処理をせずに入力画像をそのまま出力する。２  Ｓａｍｐｌｅ  Ｉｎｔｅｒｌｅａｖｅ  Ｄｉｖｉｓｉｏｎ出力のときは図８に示すように水平に１６分割された画像が入力される。これらの画像を一旦メモリ１７４に４ライン分記憶し、図３（ａ）に示すように４ラインおきに各ラインの隣り合う２画素のペアを４つおきに間引いて２０４８（１９２０）×１０８０個の画素エリアに１６分割する。そして１の画素群は第１ＯＳＤ重畳部７７４へ送られ以下同様に２〜１６の画素群はそれぞれ第２〜第１６ＯＳＤ重畳部７７５〜７８９に送られる。
【００５１】
次に、図９のフローチャートを参照して、制御部７００の制御例を説明する。ステップＳ９００では、操作部８２４の操作により出力モードが変更されたかどうかを判定する。出力モードが変更された場合はステップＳ９０１に進み、そうでない場合は変更待ち状態となる。ステップＳ９０１では、出力モードがＳｑｕａｒｅ  Ｄｉｖｉｓｉｏｎ出力かどうかを判定する。Ｓｑｕａｒｅ  Ｄｉｖｉｓｉｏｎ出力の場合はステップＳ９０２に進む。
【００５２】
ステップＳ９０２では、第１画像分割部７０３の分割処理を垂直に４分割する処理に設定する。ステップＳ９０３では、第２画像分割部７０８の分割処理を各エリアを水平に４分割して１６分割する処理に設定する。ステップＳ９０４では、第３画像分割部７７３の分割処理はしないでスルーするように処理を設定する。ステップＳ９０５では、第１データマッピング部７９０、第５データマッピング部７９４、第９データマッピング部７９８、第１３データマッピング部８０２の処理を３Ｇ−ＳＤＩでマッピングする処理に設定する。ステップＳ９０６では、第１データ送信部８０６、第５データ送信部８１０、第９データ送信部８１４、第１３データ送信部８１８を３Ｇのデータレートに設定する。
【００５３】
一方、ステップＳ９０１において２  Ｓａｍｐｌｅ  Ｉｎｔｅｒｌｅａｖｅ  Ｄｉｖｉｓｉｏｎ出力の場合はステップＳ９０７に進む。ステップＳ９０７では、第１画像分割部７０３の分割処理を水平に４分割する処理に設定する。ステップＳ９０８では、第２画像分割部７０８の分割処理をさらに水平に４分割して１６分割する処理に設定する。ステップＳ９０９では、１ラインごとに２画素ずつ間引いて１６分割する処理に設定する。
【００５４】
ステップＳ９１０では、第１データマッピング部７９０、第５データマッピング部７９４、第９データマッピング部７９８、第１３データマッピング部８０２の処理を１２Ｇ−ＳＤＩでマッピングする処理に設定する。ステップＳ９１１では、第１データ送信部８０６、第５データ送信部８１０、第９データ送信部８１４、第１３データ送信部８１８を１２Ｇのデータレートに設定する。
【００５５】
以上説明したように、実施形態２によれば、Ｓｑｕａｒｅ  Ｄｉｖｉｓｉｏｎ出力と２  Ｓａｍｐｌｅ  Ｉｎｔｅｒｌｅａｖｅ  Ｄｉｖｉｓｉｏｎ出力のいずれにおいても第１画像分割部７０３の後に現像処理を行うことで現像回路の数を削減することができる。また、第１画像分割部７０３と第２画像分割部７０８の読み出し方法を出力モードごとに変更することでいずれの出力モードのおいても共通の画像処理回路を使用することができる。さらに、メモリに書きこむ画像はＲＡＷ画像のみとすることで書き込むデータ量を最小にすることができメモリを効率よく使用することができる。
【００５６】
なお、本発明の実施形態は上述の実施形態１または２に限定されるものではない。発明の要旨を逸脱しない範囲で変更または修正された実施形態１または２も本発明の実施形態に含まれる。
【符号の説明】
【００５７】
１０  電子機器
７０  電子機器
【図１】
2018201103.tif 000003
【図２】
2018201103.tif 000004
【図３】
2018201103.tif 000005
【図４】
2018201103.tif 000006
【図５】
2018201103.tif 000007
【図６】
2018201103.tif 000008
【図７】
2018201103.tif 000009
【図８】
2018201103.tif 000010
【図９】
2018201103.tif 000011